(57)【要約】【課題】誰でも簡単に使用期間を把握できるガス機器、ガス機器用使用期間表示方法、ガス機器用使用期間表示システム、及び、情報表示装置を提供すること。【解決手段】表示パネル（１３）と、表示パネル（１３）の表示を制御するＣＰＵ（３１）と、を有する給湯器（１０）において、給湯器（１０）が最初に電源を投入されてから現時点までの使用期間を取得し、取得した使用期間を、画像（１０１）又は文字列の何れか一方により表示パネル（１３）に表示させる。【選択図】図２
2019207082.tif 000002
【特許請求の範囲】
【請求項１】
表示部と、前記表示部の表示を制御する制御部と、を有するガス機器において、
前記制御部は、
前記ガス機器が最初に電源を投入されてから現時点までの使用期間を取得する使用期間取得処理と、
前記使用期間取得処理にて取得した前記使用期間を、画像と文字列の少なくとも一方により前記表示部に表示させる使用期間表示処理と、を実行すること、
を特徴とするガス機器。
【請求項２】
請求項１に記載するガス機器において、
前記ガス機器の耐用期間を記憶する耐用期間記憶部を有すること、
前記制御部は、更に、
前記使用期間取得処理にて取得した使用期間が、前記耐用期間記憶部に記憶された前記耐用期間を超えるか否かを判断する第１判断処理と、
前記第１判断処理にて前記使用期間が前記耐用期間を超えると判断した場合に、前記使用期間が前記耐用期間を超えていることを通知する第１通知処理と、を実行すること、
を特徴とするガス機器。
【請求項３】
請求項１又は請求項２に記載するガス機器において、
前記ガス機器の点検期間を記憶する点検期間記憶部を有すること、
前記制御部は、更に、
前記使用期間取得処理にて取得した使用期間が、前記点検期間記憶部に記憶された前記点検期間を超えるか否かを判断する第２判断処理と、
前記第２判断処理にて前記使用期間が前記期間を超えると判断された場合に、前記表示部を介して前記ガス機器の点検を促す通知を行う第２通知処理と、を実行すること、
を特徴とするガス機器。
【請求項４】
請求項１乃至請求項３の何れか１つに記載するガス機器において、
前記ガス機器の使用履歴を記憶する使用履歴記憶部を有すること、
前記制御部は、
前記使用履歴記憶部に最後に記憶された使用履歴から現時点までの前記ガス機器の不使用期間を算出する不使用期間算出処理と、
前記不使用期間算出処理が算出した前記不使用期間を通知する第３通知処理と、を実行すること、
を特徴とするガス機器。
【請求項５】
請求項４に記載するガス機器において、
前記制御部は、さらに、
前記不使用期間算出処理にて算出した前記不使用期間が所定期間を超えるか否かを判断する第３判断処理と、
前記第３判断処理にて前記不使用期間が前記所定期間を超えると判断された場合に、前記表示部を介して前記ガス機器の使用に対する注意を通知する第４通知処理と、を実行すること、
を特徴とするガス機器。
【請求項６】
請求項１乃至請求項５の何れか１つに記載するガス機器において、
前記表示部は、前記ガス機器を遠隔操作するリモコン、又は、前記ガス機器の本体に設けられていること、
を特徴とするガス機器。
【請求項７】
ガス機器に最初に電源を投入してから現時点までの使用期間を取得する使用期間取得ステップと、
前記使用期間取得ステップにて取得した前記使用期間を、画像と文字列の少なくとも一方により、前記ガス機器に関する情報を表示する表示部に表示させる使用期間表示ステップと、を有すること、
を特徴とするガス機器用使用期間表示方法。
【請求項８】
複数のガス機器と、情報表示装置とを有すること、
前記情報表示装置は、
前記複数のガス機器との通信を制御する通信部と、
前記複数のガス機器に関する情報を表示する表示部と、を有すること、
前記情報表示装置に、
前記通信部を介して、前記複数のガス機器のうちの少なくとも１つから使用期間を取得する使用期間取得処理と、
前記使用期間取得処理にて取得した前記使用期間を、画像と文字列の少なくとも一方により前記表示部に表示させる使用期間表示処理と、を実行させること、
を特徴とするガス機器用使用期間表示システム。
【請求項９】
ガス機器との通信を制御する通信部と、
表示部と、
前記表示部の表示を制御する制御部と、を有すること、
前記制御部は、
前記ガス機器に最初に電源を投入してから現時点までの使用期間を、前記通信部を介して前記ガス機器から取得する使用期間取得処理と、
前記使用期間取得処理にて取得した前記使用期間を、画像と文字列の少なくとも一方により前記表示部に表示させる使用期間表示処理と、を実行すること、
を特徴とする情報表示装置。
【発明の詳細な説明】
【技術分野】
【０００１】
本発明は、表示部と制御部を備えるガス機器、ガス機器用使用期間表示方法、ガス機器用使用期間表示システム、及び、情報表示装置に関する。
【背景技術】
【０００２】
例えば、特許文献１には、給湯器用リモコンの制御部に、ガス、電気、水道水等の資源を所定期間内に使用した使用量（資源使用量）を記憶しておき、該制御部からの指令信号によって給湯用リモコンのディスプレイに、資源種別を示す文字を表示するとともに、該文字表示を囲むように使用資源量に応じて二次元的に延びる図形を表示させる技術が、開示されている。
【先行技術文献】
【特許文献】
【０００３】
【特許文献１】特開２０１５−７０３７０号公報
【発明の概要】
【発明が解決しようとする課題】
【０００４】
ところが、前述の技術には、以下の問題があった。すなわち、従来のガス機器には、使用期間を表示するものがなかった。使用期間は、ガス機器の買替時期や点検などの目安になる。よって、ユーザは、ガス機器の購入時期や設置時期に基づいて使用期間を記憶したり、工事日等の管理情報により使用期間を把握したりすることが好ましい。
【０００５】
しかし、ガス機器の耐用期間は一般的に１０年と言われ、ユーザは、ガス機器に動作不良や故障が生じない限り、ガス機器の使用期間を意識しないのが、実情である。また、ガス機器の点検等を行う作業員は、当該ガス機器の使用期間を保証書等で確認しなければ、点検等が保証対象になるか否かを判断できなかった。更に、賃貸住宅のように居住者が変わる場合、新しい居住者は、既設のガス機器をそのまま使用することになるが、既設のガス機器の使用期間を把握することができなかった。よって、従来のガス機器は、誰でも簡単に使用期間を把握できるものでなく、改善の余地がある。
【０００６】
本発明は、上記問題点を解決するためになされたものであり、誰でも簡単に使用期間を把握できるガス機器、ガス機器用使用期間表示方法、ガス機器用使用期間表示システム、及び、情報表示装置を提供することを目的とする。
【課題を解決するための手段】
【０００７】
（１）本発明の一態様におけるガス機器は、表示部と、前記表示部の表示を制御する制御部と、を有するガス機器において、前記制御部は、前記ガス機器が最初に電源を投入されてから現時点までの使用期間を取得する使用期間取得処理と、前記使用期間取得処理にて取得した前記使用期間を、画像と文字列の少なくとも一方により前記表示部に表示させる使用期間表示処理と、を実行すること、を特徴とする。
【０００８】
上記構成のガス機器によれば、ガス機器の使用期間を表示部に表示させることにより、誰でも簡単にガス機器の使用期間を把握することができる。
【０００９】
（２）（１）に記載するガス機器において、前記ガス機器の耐用期間を記憶する耐用期間記憶部を有すること、前記制御部は、更に、前記使用期間取得処理にて取得した使用期間が、前記耐用期間記憶部に記憶された前記耐用期間を超えるか否かを判断する第１判断処理と、前記第１判断処理にて前記使用期間が前記耐用期間を超えると判断した場合に、前記使用期間が前記耐用期間を超えていることを通知する第１通知処理と、を実行すること、
が好ましい。
【００１０】
上記構成のガス機器によれば、使用期間が耐用期間を超えたことを表示部に表示させるので、ガス機器が古くなって動作不良や故障を生じる可能性があることをユーザ等に認識させることができる。
【００１１】
（３）（１）又は（２）に記載するガス機器において、前記ガス機器の点検期間を記憶する点検期間記憶部を有すること、前記制御部は、更に、前記使用期間取得処理にて取得した使用期間が、前記点検期間記憶部に記憶された前記点検期間を超えるか否かを判断する第２判断処理と、前記第２判断処理にて前記使用期間が前記期間を超えると判断された場合に、前記表示部を介して前記ガス機器の点検を促す通知を行う第２通知処理と、を実行すること、が好ましい。
【００１２】
上記構成のガス機器によれば、ガス機器の使用期間が点検期間を超えると、ガス機器の点検を促す通知を表示部に表示させるので、ガス機器が点検を受ける機会が増え、ガス機器の動作不良や故障を未然に防止することができる。
【００１３】
（４）（１）乃至（３）の何れか１つに記載するガス機器において、前記ガス機器の使用履歴を記憶する使用履歴記憶部を有すること、前記制御部は、前記使用履歴記憶部に最後に記憶された使用履歴から現時点までの前記ガス機器の不使用期間を算出する不使用期間算出処理と、前記不使用期間算出処理が算出した前記不使用期間を通知する第３通知処理と、を実行すること、が好ましい。
【００１４】
上記構成のガス機器によれば、ガス機器が使用されていない不使用期間を通知するので、例えば、賃貸住宅の新しい居住者やガス機器の点検を行う作業者に、ガス機器が長期間使用されていないことを簡単に把握させることができる。
【００１５】
（５）（４）に記載するガス機器において、前記制御部は、さらに、前記不使用期間算出処理にて算出した前記不使用期間が所定期間を超えるか否かを判断する第３判断処理と、前記第３判断処理にて前記不使用期間が前記所定期間を超えると判断された場合に、前記表示部を介して前記ガス機器の使用に対する注意を通知する第４通知処理と、を実行すること、が好ましい。
【００１６】
上記構成のガス機器によれば、ガス機器が所定期間使用されない場合に、表示部を介してガス機器の使用に対する注意を通知するので、長期間使用されなかったガス機器の動作不良や故障を未然に防止したり、早期に発見したりすることができる。
【００１７】
（６）（１）乃至（５）の何れか１つに記載するガス機器において、前記表示部は、前記ガス機器を遠隔操作するリモコン、又は、前記ガス機器の本体に設けられていること、が好ましい。
【００１８】
上記構成のガス機器によれば、既存の表示部を利用して使用期間等の情報を表示するので、低コストで使用期間等の表示機能をガス機器に付加することができる。
【００１９】
（７）本発明の他の態様におけるガス機器用使用期間表示方法は、ガス機器に最初に電源を投入してから現時点までの使用期間を取得する使用期間取得ステップと、前記使用期間取得ステップにて取得した前記使用期間を、画像と文字列の少なくとも一方により、前記ガス機器に関する情報を表示する表示部に表示させる使用期間表示ステップと、を有すること、を特徴とする。
【００２０】
（８）本発明の他の態様におけるガス機器用使用期間表示システムは、複数のガス機器と、前記複数のガス機器との通信を制御する通信部と、前記複数のガス機器に関する情報を表示する表示部と、を有する情報表示装置とを有し、前記情報表示装置に、前記通信部を介して、前記複数のガス機器のうちの少なくとも１つから使用期間を取得する使用期間取得処理と、前記使用期間取得処理にて取得した前記使用期間を、画像と文字列の少なくとも一方により前記表示部に表示させる使用期間表示処理と、を実行させること、を特徴とする。
【００２１】
（９）本発明の他の態様における情報表示装置は、ガス機器との通信を制御する通信部と、表示部と、前記表示部の表示を制御する制御部と、を有すること、前記制御部は、前記ガス機器に最初に電源を投入してから現時点までの使用期間を、前記通信部を介して前記ガス機器から取得する使用期間取得処理と、前記使用期間取得処理にて取得した前記使用期間を、画像と文字列の少なくとも一方により前記表示部に表示させる使用期間表示処理と、を実行すること、を特徴とする。
【発明の効果】
【００２２】
上記構成によれば、誰でも簡単に使用期間を把握できるガス機器、ガス機器用使用期間表示方法、ガス機器用使用期間表示システム、及び、情報表示装置を実現することができる。
【図面の簡単な説明】
【００２３】
【図１】本発明の第１実施形態に係る給湯器の概略構成図である。
【図２】リモコンの一例である。
【図３】使用期間を表す画像のイメージ図である。
【図４】使用期間表示動作の手順を示すフローチャートである。
【図５】本発明の第２実施形態に係る給湯器の概略構成図である。
【図６】作業履歴データベースのデータ構造の一例を説明する図である。
【図７】表示パネルへの表示形態の一例を示す図である。
【図８】表示パネルへの表示形態の一例を示す図である。
【図９】表示パネルへの表示形態の一例を示す図である。
【図１０】表示パネルへの表示形態の一例を示す図である。
【図１１】表示パネルへの表示形態の一例を示す図である。
【図１２】使用期間表示動作の手順を示すフローチャートである。
【図１３】ガスファンヒータの一例を示す図である。
【図１４】ガス機器用使用期間表示システムの概略構成図である。
【図１５】タッチパネルへの表示形態の一例を示す図である。
【発明を実施するための形態】
【００２４】
以下に、本発明に係るガス機器、ガス機器用使用期間表示方法、ガス機器用使用期間表示システム、及び、情報表示装置の実施形態の一態様を、図面に基づいて説明する。
【００２５】
（第１実施形態）
（給湯器の構成）
図１は、本発明の第１実施形態に係る給湯器１０の概略構成図である。給湯器１０は、給湯器本体２とリモコン１とを備える。例えば、給湯器本体２は屋外に設置され、リモコン１は台所に壁に設置される。給湯器１０は、リモコン１を用いて、給湯器本体２の動作が遠隔制御され、温水を供給するものである。給湯器１０は、給湯器１０の使用期間をリモコン１の表示パネル１３に表示させるように、構成されている。尚、給湯器１０は、「ガス機器」の一例である。表示パネル１３は、「表示部」の一例である。
【００２６】
給湯器１０の構成を具体的に説明する。給湯器本体２は、設定温度に加熱した湯を熱負荷に供給するものである。熱負荷は、例えば、風呂や台所などに設けられた蛇口などである。給湯器本体２は、コントローラ２０に、電力制御部２５と、ガス弁２６と、熱源２７と、給水弁２８と、計時部２９と、通信インターフェース３０（以下「通信ＩＦ３０」とする）が接続されている。
【００２７】
電力制御部２５は、電源３からコントローラ２０に供給される電力を制御するものである。ガス弁２６は、熱源２７に供給するガスの供給量を制御するものである。熱源２７は、ガス弁２６から供給されるガスを燃焼させて熱を発生するものである。熱源２７は、点火時と消火時に燃焼ファンを作動させ、燃焼室に残留するガスを排出する。給水弁２８は、熱源２７を介して熱負荷に供給される水の供給量を制御するものである。計時部２９は、「使用期間」を計測するものである。「使用期間」とは、給湯器本体２が初めて電源３に接続されてから現時点までの期間をいう。通信ＩＦ３０は、外部機器との通信を制御するものである。
【００２８】
コントローラ２０は、ＣＰＵ３１と、ＲＯＭ３２と、ＲＡＭ３３と、不揮発性メモリ３４とを含むコントローラ２０を有する。ＣＰＵ３１は、制御部の一例である。尚、コントローラ２０を制御部の一例としても良い。
【００２９】
ＲＯＭ３２には、給湯器本体２を起動するための起動プログラム等が記憶されている。ＲＡＭ３３は、各種処理が実行される際に作業領域として、あるいは、データを一時的に記憶する記憶領域として利用される。不揮発性メモリ３４は、例えば、ＨＤＤ、フラッシュメモリであり、各種のプログラムやデータを記憶する。例えば、不揮発性メモリ３４には、使用期間を表示パネル１３に表示させるためのアプリケーションプログラム（以下「アプリ」とする）４１が記憶されている。また、不揮発性メモリ３４は、給湯器１０の耐用期間を記憶する耐用期間記憶部４２を備える。「耐用期間」は、出荷時に耐用期間記憶部４２に記憶されていても良いし、給湯器１０の設置時に作業者が耐用期間記憶部４２に記憶させても良い。
【００３０】
ここで、「耐用期間」とは、標準的な使用条件（例えば、使用状況（運転頻度）、保守管理状態、設置環境など）の下で、安全上支障なくガス機器を使用できる期間をいう。例えば、ガス機器が特定保守製品である場合には、当該ガス機器の「設計標準使用期間」が「耐用期間」の一例になる。「設計標準使用期間」とは、ガス機器を標準的な使用条件の下で使用した場合に経年劣化により安全上支障がなくガス機器を使用することを科学的に確認又は判断された期間をいう。標準的な使用条件は、特定保守製品の対象となるガス製品の標準的な使用条件について、ＪＩＳで定められている。特定保守製品には、例えば、給湯器や浴室暖房乾燥機やビルトイン式食器洗浄乾燥機などが含まれる。特定保守製品となるガス機器の設計標準使用期間は、一般的に「１０年」とされる。一方、例えば、特定保守製品でないガス機器は、メーカが安全上支障なく使用できるものとして設定した機器の寿命が、「耐用期間」の一例になる。特定保守製品でないガス機器には、例えば、床暖房装置やガスファンヒータやガスコンロなどが含まれる。
【００３１】
リモコン１は、コントローラ１１に、通信インターフェース１５（以下「通信ＩＦ１５」ともいう）と、表示パネル１３と、操作ボタン群１４が接続されている。
【００３２】
コントローラ１１は、周知のマイクロコンピュータであるので、説明を省略する。通信ＩＦ１５は、給湯器本体２との通信を制御するハードウェアを含む。リモコン１の通信ＩＦ１５と給湯器本体２の通信ＩＦ３０との通信方式は、有線方式でも、無線方式でも良い。表示パネル１３は、情報を表示するものである。操作ボタン群１４は、情報の入力を行うものである。図２は、リモコン１の一例である。リモコン１は、液晶の表示パネル１３と、押下式の操作ボタン群１４とが、別個に設けられている。リモコン１は、表示部と操作部を一体にした操作パネルを備えるものであっても良い。
【００３３】
（使用期間表示動作の概要）
続いて、給湯器１０の使用期間表示動作の概要を説明する。給湯器１０は、給湯器本体２が電源３に初めて接続され、電力制御部２５を介してコントローラ２０に電力を供給されると、計時部２９が「使用期間」の計測を開始する。
【００３４】
給湯器１０は、リモコン１を介して給湯器本体２に、給湯温度やふろ温度や湯張り時間などが設定される。給湯器本体２は、例えば、温水用蛇口（図示せず）が開かれると、給水弁２８が弁開される。コントローラ２０は、給水弁２８を弁開させると、ガス弁２６を弁開させ、ガスを熱源２７に供給する。熱源２７は、ガスを燃焼させて熱を発生し、給水弁２８を経由して温水用蛇口に供給される水を給湯温度に加熱する。これにより、温水用蛇口（図示せず）から、給湯温度に調整された温水が出湯される。その後、温水用蛇口（図示せず）が閉じられると、給水弁２８とガス弁２６が弁閉され、熱源２７の動作が停止される。これにより、温水用蛇口（図示せず）からの温水の供給が停止される。
【００３５】
給湯器１０は、ガス弁２６や給水弁２８、熱源２７などを用いて温水供給を繰り返し行うため、ガス弁２６、給水弁２８、熱源２７などの構成部品が経年劣化する。しかし、給湯器１０の「耐用期間」は、一般的に「１０年」と長く、故障や動作不良が長期間起こりにくい。そのため、給湯器１０の「使用期間」は、給湯器１０が故障や動作不良を発生して初めて、ユーザに意識されることが多い。また、家屋を賃貸・売買する場合、給湯器１０も当該家屋に付属するが、第三者が給湯器１０の「使用期間」を把握するのは困難である。さらに、給湯器１０の点検等を行う作業者が、保証書等から給湯器１０の「使用期間」を確認するのは、手間である。
【００３６】
そこで、給湯器１０は、図２に示すように、使用期間を表す画像１０１をリモコン１の表示パネル１３に表示させる。画像１０１は、例えば、「現在時刻」や「ふろ温度」が表示される初期画面１００に表示される。
【００３７】
図３は、使用期間を表す画像１０１のイメージ図である。給湯器１０は、使用期間の経過に応じて画像１０１を変化させ、耐用期間に対する使用期間の経過状態をユーザに知らせる。
【００３８】
例えば、耐用期間記憶部４２に記憶される耐用期間が「１０年」である場合、給湯器１０は、「１０枚」の花びら１０１１を有する花の画像１０１Ａを表示パネル１３に表示させる。そして、給湯器本体２は、計時部２９によって測定される使用期間が１年経過する毎に、花びら１０１１の数を１枚ずつ減らし（図中１０１１ｘ）、表示パネル１３に表示させる。例えば、使用期間が「２年」経過した場合、給湯器本体２は、花びら１０１１の数を使用開始時の「１０枚」から「２枚」減らし（図中１０１１ｘ）、「８枚」の花びら１０１１を含む花の画像１０１Ｂを表示パネル１３に表示させる。また、使用期間が「５年」経過した場合、給湯器本体２は、花びら１０１１の数を使用開始時の「１０枚」から「５枚」減らし（図中１０１１ｘ）、「５枚」の花びら１０１１を含む花の画像１０１Ｃを表示パネル１３に表示させる。そして、使用期間が耐用期間の「１０年」を過ぎると、給湯器本体２は、花びら１０１１の数が「０枚」の花の画像１０１Ｄを表示パネル１３に表示させる。
【００３９】
よって、上記給湯器１０によれば、ユーザや作業者や給湯器１０を設置された家(部屋）を借りる者などの誰でも、表示パネル１３に表示される花の画像１０１に含まれる花びら１０１１の数から、給湯器１０の使用期間を確認できる。また、表示パネル１３に表示される花の画像１０１が、花びら１０１１を有する場合、ユーザ等は、給湯器１０が耐用期間に至っていないことを確認できる。そして、ユーザ等は、花の画像１０１に含まれる花びら１０１１の数から、現時点から耐用期間までの期間を簡単に把握できる。更に、ユーザ等は、花びらがない花の画像１０１Ｄを確認することにより、使用期間が耐用期間を超えていることを簡単に把握し、給湯器１０の買い替えや点検等の対応をとることができる。
【００４０】
（使用期間表示手順の説明）
上記表示方法の制御手順について、具体的に説明する。図４は、使用期間表示動作の手順を示すフローチャートである。給湯器本体２のＣＰＵ３１は、リモコン１に初期画面１００を表示させることを契機に、アプリ４１を不揮発性メモリ３４から読み出して実行し、図４に示す処理を行う。
【００４１】
ＣＰＵ３１は、まず、使用期間を取得する（Ｓ１０１）。Ｓ１０１は、使用期間取得処理の一例である。すなわち、ＣＰＵ３１は、現時点までの使用期間を計時部２９から取得し、ＲＡＭ３３に記憶させる。
【００４２】
そして、ＣＰＵ３１は、耐用期間を取得する（Ｓ１０２）。すなわち、ＣＰＵ３１は、耐用期間記憶部４２から耐用期間を読み出し、ＲＡＭ３３に記憶させる。それから、ＣＰＵ３１は、経過状態を判別する（Ｓ１０３）。Ｓ１０３は、第１判断処理の一例である。すなわち、ＣＰＵ３１は、耐用期間から使用期間を減算し、使用期間が耐用期間に対してどの程度経過しているかを示す経過状態を判別する。
【００４３】
その後、ＣＰＵ３１は、表示パネル１３に表示させる画像１０１を生成する（Ｓ１０４）。すなわち、ＣＰＵ３１は、Ｓ１０３にて判別した経過状態に応じて画像１０１を生成する。例えば、Ｓ１０１にて取得した「使用期間」が「２年２ヶ月」であり、Ｓ１０２にて取得した「耐用期間」が「１０年」である場合、ＣＰＵ３１は、現時点から耐用期間まで「８年」あると判断する。そこで、ＣＰＵ３１は、花びら１０１１が「８枚」ある花の画像１０１Ｂを生成する（図３参照）。また例えば、Ｓ１０１にて取得した「使用期間」が「１０年８ヶ月」、「耐用期間」が「１０年」である場合、ＣＰＵ３１は、「使用期間」が「耐用期間」を「８ヶ月」過ぎていると判断する。そこで、ＣＰＵ３１は、花びら１０１１がない花の画像１０１Ｄを生成する（図３参照）。
【００４４】
そして、ＣＰＵ３１は、使用期間を表示する使用期間表示画面を作成する（Ｓ１０５）。すなわち、例えば、ＣＰＵ３１は、Ｓ１０４にて生成した画像１０１を、「現在時刻」と「ふろ温度」に関する情報を表示する初期画面１００に合成し、使用期間表示画面を作成する。
【００４５】
そして、ＣＰＵ３１は、通信ＩＦ３０を介して、Ｓ１０５にて生成した使用期間表示画面を表示パネル１３に表示させる指令を、リモコン１に送信し（Ｓ１０６）、処理を終了する。リモコン１は、通信ＩＦ１５を介して当該指令を受信すると、表示パネル１３に使用期間表示画面を表示させる。つまり、リモコン１は、例えば図２に示す初期画面１００に、使用期間を表す画像１０１を表示させる。尚、Ｓ１０４〜Ｓ１０６の処理は、使用期間表示処理、第１通知処理の一例である。
【００４６】
以上説明したように、本形態の給湯器１０は、表示パネル１３と、表示パネル１３の表示を制御するＣＰＵ３１と、を有する給湯器１０において、ＣＰＵ３１は、給湯器本体２が最初に電源を投入されてから現時点までの使用期間を取得する使用期間取得処理（Ｓ１０１）と、使用期間取得処理（Ｓ１０１）にて取得した使用期間を、画像１０１により表示パネル１３に表示させる使用期間表示処理（Ｓ１０４〜Ｓ１０６）と、を実行することを特徴とする。つまり、給湯器１０は、例えば、使用期間が「１年」経過する前は、花びら１０１１を「１０枚」含む花の画像１０１Ａを表示パネル１３に表示させる（図３）。また例えば、給湯器１０は、使用期間が「２年２ヶ月」である場合には、花びら１０１１を「８枚」含む花の画像１０１Ｂを表示パネル１３に表示させる（図３）。また例えば、給湯器１０は、例えば、使用期間が「５年」である場合には、花びら１０１１を「５枚」含む花の画像１０１Ｃを表示パネル１３に表示させる。更に例えば、給湯器１０は、使用期間が「１０年」を超える場合には、花びら１０１１がない花の画像１０１Ｄを表示パネル１３に表示させる。このように、給湯器１０は、花びら１０１１の数を変化させて使用期間を表示パネル１３に表示させるので、誰でも簡単に給湯器１０の使用期間を把握することができる。
【００４７】
また、本形態の給湯器１０は、給湯器１０の耐用期間を記憶する耐用期間記憶部４２を有すること、ＣＰＵ３１は、更に、使用期間取得処理（Ｓ１０１）にて取得した使用期間が、耐用期間記憶部４２に記憶された耐用期間を超えるか否かを判断する第１判断処理（Ｓ１０３）と、第１判断処理（Ｓ１０３）にて使用期間が耐用期間を超えると判断した場合に、使用期間が耐用期間を超えていることを通知する第１通知処理（Ｓ１０４〜Ｓ１０６）と、を実行することを特徴とする。つまり、給湯器１０は、「使用期間」が「耐用期間」を超える場合、花びら１０１１がない花の画像１０１Ｄを、表示パネル１３に表示させる。そのため、給湯器１０は、給湯器１０が古くなって故障や動作不良を生じる可能性があることをユーザ等に認識させることができる。これにより、古くなった給湯器１０の買い替えや点検が促進され、ユーザが、故障や動作不良で不便を被ることを未然に防止できる。例えば、冬場に給湯器１０が故障し、新しい給湯器が設置されたり、修理が完了したりするまで、湯を使えないという不便を回避できる。
【００４８】
（第２実施形態）
続いて、本発明の第２実施形態について説明する。図５は、本発明の第２実施形態に係る給湯器５０の概略構成図である。第２実施形態の給湯器５０は、表示パネル５４の表示能力が第１実施形態の表示パネル１３より高く、使用期間や通知を文字列で表示する点が、第１実施形態と相違する。ここでは、第１実施形態と相違する点を中心に説明し、第１実施形態と共通する点は図面に第１実施形態と同じ符号を使用し、適宜説明を省略する。
【００４９】
（給湯器の構成）
図５に示すように、給湯器本体２の不揮発性メモリ３４は、アプリ５５と、給湯器５０に関する作業の履歴（作業履歴）を記憶する作業履歴データベース５１と、給湯器５０を使用した履歴（使用履歴）を記憶する使用履歴データベース５２とを有する。作業履歴データベース５１は、点検期間記憶部の一例である。使用履歴データベース５２は、使用履歴記憶部の一例である。
【００５０】
アプリ５５は、使用期間を表す画像１０１を表示パネル５４に表示させる他、「使用期間」に関連する各種通知を行う。通知には、例えば、使用期間が耐用期間を超えていることを通知すること、使用期間が点検期間を超えている場合に点検を促す通知を行うこと、不使用期間を通知すること、不使用期間が所定期間を超える場合にガス機器の使用に対する注意を通知すること、が含まれる。
【００５１】
図６は、作業履歴データベース５１のデータ構造の一例を説明する図である。作業履歴データベース５１のレコードは、「作業内容」を記憶する第１フィールド５１１と、「作業期間」を記憶する第２フィールド５１２と、「作業の有無」を記憶する第３フィールド５１３とを含む。「作業期間」は点検期間の一例である。
【００５２】
「作業内容」には、例えば、給湯器５０を設置する「設置」や、給湯器５０を設置した日から半年後に行う「半年点検」や、給湯器５０を設置した日から１年後に行う「１年点検」や、定期的に行われる「定期点検」や、給湯器本体２を構成する部品を交換する「部品交換」などが含まれる。「作業期間」は、「作業内容」の実施を推奨する期間である。第３フィールド５１３には、「有」又は「無」が記憶される。「無」は、第１フィールドに記憶された「作業内容」が完了していないことを示す情報である。「有」は、第１フィールドに記憶された「作業内容」が完了したことを示す情報である。作業者が作業の完了を給湯器本体２に登録すると、第２フィールドの「無」が「有」に書き換えられる。
【００５３】
図５に示す使用履歴データベース５２は、本形態ではメモリ負荷を軽減するために、最新の使用履歴に随時更新される。尚、使用履歴データベース５２が記憶する使用履歴の数は、１個に限定されないことはいうまでもない。
【００５４】
リモコン５３の表示パネル５４は、第１実施形態の表示パネル１３より大きく、解像度が高い。つまり、表示パネル５４は、第１実施形態の表示パネル１３より表示能力が高い。
【００５５】
（使用期間表示動作の概要）
次に、使用期間表示動作の概要を、図面を参照して説明する。図７〜図１１は、表示パネル５４への表示形態の一例を示す図である。
【００５６】
図７に示すように、メニュー選択画面２００には、使用期間の確認操作を行うためのメニュー項目２０１が含まれている。給湯器１０は、ユーザによるメニュー項目２０１の選択操作を受け付けると、図８〜図１１に示す第１〜第４使用期間表示画面２４０，２１０，２２０，２３０の何れかを、リモコン５３の表示パネル５４に表示させる。
【００５７】
例えば、使用期間が「２年２ヶ月」である場合、給湯器１０は、図８に示すように、花びら１０１１を「８枚」含む花の画像１０１Ｂと、例えば「使用期間は２年２ヶ月です。」との使用期間を表す文字列２１１とを含む第４使用期間表示画面２１０を、表示パネル５４に表示させる。このとき、給湯器１０は、例えば「次回の点検は、○年○月○日です。」というように、次回の点検時期を通知するメッセージ２１２を、第４使用期間表示画面２１０に表示させる。これにより、給湯器１０は、点検が促され、故障や動作不良が未然に防止される。
【００５８】
また例えば、使用期間が「１０年３ヶ月」である場合、給湯器１０は、図９に示すように、花びら１０１１がない花の画像１０１Ｄと、例えば「使用期間は１０年３ヶ月です。」との使用期間を表す文字列２２１とを含む第１使用期間表示画面２２０を、表示パネル５４に表示させる。例えば、耐用期間が「１０年」である場合、給湯器１０は、「使用期間が耐用期間を３ヶ月過ぎています。給湯器の買い替えをおすすめします。」というように、使用期間が耐用期間を超えていることを通知するメッセージ２２２を、第１使用期間表示画面２２０に表示させる。これにより、給湯器１０は、買い替えや点検が促され、経年劣化により故障や動作不良を生じる可能性が低減される。
【００５９】
また例えば、使用期間が「４年８ヶ月」である場合、給湯器１０は、図１０に示すように、花びら１０１１を「６枚」含む花の画像１０１Ｅと、例えば「使用期間は４年８ヶ月です。」との使用期間を表す文字列２３１とを含む第２使用期間表示画面２３０を、表示パネル５４に表示させる。例えば、ユーザが４年目の点検を受けていない場合、給湯器１０は、「第１回定期点検の時期が過ぎていますので、点検を受けて下さい。」というように、使用期間が点検時期を超えていることを通知するメッセージ２３２を、第２使用期間表示画面２３０に表示させる。これにより、給湯器１０は、点検を受ける機会が増え、より長く正常運転できるようになる。
【００６０】
更に例えば、使用期間が「８年５ヶ月」である場合、給湯器１０は、図１１に示すように、花びら１０１１を「２枚」含む花の画像１０１Ｆと、例えば「使用期間は８年５ヶ月です。」との使用期間を表す文字列２４１とを含む第３使用期間表示画面２４０を、表示パネル５４に表示させる。例えば、給湯器１０が３年間使用されていない場合、給湯器１０は、「この給湯器は、３年間使用されていません。」というように、不使用期間を通知するメッセージ２４３と、「動作開始から１時間程度は、運転状態に注意して下さい。」というように、給湯器１０を使用する場合の注意を通知するメッセージ２４４を、第３使用期間表示画面２４０に表示させる。これにより、長く使用されていない給湯器１０の点検や手入れなどをユーザに促し、給湯器１０の故障や動作不良を未然に防止することができる。
【００６１】
よって、上記給湯器５０によれば、ユーザや作業者や給湯器５０を設置された家(部屋）を借りる者などの誰でも、表示パネル５４に表示される花の画像１０１に含まれる花びら１０１１の数や、使用期間を表す文字列２１１，２２１，２３１，２４１から、給湯器１０の使用期間を確認できる。また、表示パネル１３に表示される花の画像１０１が、花びら１０１１を有する場合、ユーザ等は、給湯器１０が耐用期間に至っていないことを確認できる。そして、ユーザ等は、花の画像１０１に含まれる花びら１０１１の数から、現時点から耐用期間までの期間を簡単に把握できる。更に、ユーザ等は、花びらがない花の画像１０１Ｄや、使用期間が耐用期間を超えていることを通知するメッセージ２２２を確認することにより、使用期間が耐用期間を超えていることを簡単に把握し、給湯器１０の買い替えや点検等の対応をとることができる。
【００６２】
（使用期間表示手順の説明）
続いて、使用期間表示動作の処理手順を、具体的に説明する。図１２は、使用期間表示動作の手順を示すフローチャートである。ＣＰＵ３１は、メニュー項目２０１の選択操作を受け付けたことを契機に、アプリ５５を実行し、図１２に示す処理を行う。
【００６３】
ＣＰＵ３１は、第１実施形態と同様にＳ１０１〜Ｓ１０４の処理を行った後、使用期間が耐用期間を超過しているか否かを判断する（Ｓ２０１）。Ｓ１０３、Ｓ２０１の処理は、第１判断処理の一例である。すなわち、ＣＰＵ３１は、Ｓ１０３にて判別した経過状態より、Ｓ１０１にて取得した使用期間がＳ１０２にて取得した耐用期間を超過しているか否かを判断する。
【００６４】
ＣＰＵ３１は、使用期間が耐用期間を超過していると判断した場合には（Ｓ２０１：ＹＥＳ）、第１使用期間表示画面２２０を作成する（Ｓ２０２）。ＣＰＵ３１は、例えば図９に示すように、「使用期間」を表す画像１０１Ｄと、「使用期間」を表す文字列２２１と、使用期間が耐用期間を超えていることを通知するメッセージ２２２と、を表示する第１使用期間表示画面２２０を作成する。尚、画像１０１Ｄは、花びら１０１１が現時点から耐用期間までの期間を表しており、使用期間が耐用期間を超えているか否かの通知も兼ねている。その後、ＣＰＵ３１は、画面表示を行う（Ｓ１０６）。この場合、ＣＰＵ３１は、第１使用期間表示画面２２０を表示パネル５４に表示させる指令を、リモコン１に送信する。その後、ＣＰＵ３１は、処理を終了する。Ｓ２０２，Ｓ１０６の処理は、使用期間表示処理、第１通知処理の一例である。
【００６５】
よって、ユーザや作業者や給湯器５０が設置される家（部屋）の賃借人等は、給湯器５０の使用期間と耐用期間を把握していなくても、画像１０１Ｄやメッセージ２２２を見て、給湯器５０が耐用期間を超えて古くなっており、経年劣化により故障や動作不良を生じる可能性があることを認識できる。そのため、耐用期間を超えた給湯器５０は、買い替えや点検が促され、ユーザが給湯器５０の故障や動作不良により不便を被ることを回避できる。
【００６６】
これに対して、ＣＰＵ３１は、使用期間が耐用期間を超過していないと判断した場合には（Ｓ２０１：ＮＯ）、作業期間を取得する（Ｓ２０３）。例えば、ＣＰＵ３１は、作業履歴データベース５１にアクセスし、第３フィールド５１３に「無」が設定されているレコードを読み出し、ＲＡＭ３３に記憶する。
【００６７】
そして、ＣＰＵ３１は、使用期間が作業期間を超過しているか否かを判断する（Ｓ２０４）。Ｓ２０４の処理は、第２判断処理の一例である。例えば、ＣＰＵ３１は、ＲＡＭ３３に記憶したレコードのうち、Ｓ１０１にて取得した使用期間が、Ｓ２０３にて取得した「作業期間」を超えるレコードがある場合には、使用期間が作業期間を超過していると判断する。この場合（Ｓ２０４：ＹＥＳ）、ＣＰＵ３１は、第２使用期間表示画面２３０を作成する（Ｓ２０５）。
【００６８】
例えば、図６に示すように、給湯器５０の購入日から４年後に第１回定期点検を行なうことが、作業履歴データベース５１に記憶されているとする。ユーザが、給湯器５０の第１回定期点検を受けないまま、給湯器５０の使用期間が「４年８ヶ月」経過した場合、ＣＰＵ３１は、使用期間が作業期間を超過していると判断し、例えば図１０に示すように、花びらが「６枚」ある花の画像１０１Ｅと、使用期間を表す文字列２３１と、使用期間が点検期間を超えていることを通知するメッセージ２３２と、を表示する第２使用期間表示画面２３０を作成する。その後、ＣＰＵ３１は、第２使用期間表示画面２３０を表示パネル５４に表示させる指令をリモコン１に送信することにより、画面表示を行い（Ｓ１０６）、処理を終了する。Ｓ２０５，Ｓ１０６の処理は、使用期間表示処理、第２通知処理の一例である。
【００６９】
よって、ユーザは、使用期間と点検期間を把握していなくても、第２使用期間表示画面２３０に表示されるメッセージ２３２を見て、給湯器５０が点検を受けるべきであることに気付くことができる。これにより、給湯器１０は、点検や部品交換などの作業を受ける機会が増え、動作不良や故障が未然に防止される。
【００７０】
一方、使用期間が点検期間を超過していない場合には（Ｓ２０４：ＮＯ）、ＣＰＵ３１は、不使用期間を算出する（Ｓ２０６）。Ｓ２０６の処理は、不使用期間算出処理の一例である。例えば、ＣＰＵ３１は、使用履歴データベース５２から最後の使用履歴を読み出し、最後に給湯器５０が使用された時から現時点までの不使用期間を算出する。
【００７１】
そして、ＣＰＵ３１は、Ｓ２０６にて算出した不使用期間が所定期間（例えば３年）を超えるか否かを判断する（Ｓ２０７）。Ｓ２０７の処理は、第３判断処理の一例である。
【００７２】
ＣＰＵ３１は、不使用期間が所定期間を超えると判断した場合には（Ｓ２０７：ＹＥＳ）、第３使用期間表示画面を作成する（Ｓ２０８）。ＣＰＵ３１は、例えば図１１に示すように、花びらが「２枚」ある花の画像１０１Ｆと、使用期間を表す文字列２４１と、不使用期間を通知するメッセージ２４３と、給湯器５０の使用に対する注意を通知するメッセージ２４４と、を表示する第３使用期間表示画面２４０を作成する。その後、ＣＰＵ３１は、第３使用期間表示画面２４０を表示パネル５４に表示させる指令をリモコン１に送信することにより、画面表示を行い、処理を終了する（Ｓ１０６）。Ｓ２０８，Ｓ１０６の処理は、使用期間表示処理、第３通知処理、第４通知処理の一例である。
【００７３】
よって、ユーザや作業者や給湯器５０が設置される家（部屋）の賃借人等は、表示パネル５４に表示されるメッセージ２４３を見て、給湯器５０が長期間使用されていないことを簡単に把握できる。
【００７４】
給湯器５０が所定期間使用されない場合、例えば、熱源２７の燃焼ファンが動かず、エラーが生じたり、給湯器５０のコンセント部分に埃が溜まったりすることがある。これらは、給湯器５０の故障や動作不良の原因になる。一方、長期間使用されていない給湯器５０は、１時間程度正常に運転されれば、故障や動作不良が生じないと考えられる。給湯器５０は、ＣＰＵ３１が給湯器５０の使用に対する注意を通知するメッセージ２４４を表示パネル５４に表示させるので、ユーザや作業者や給湯器５０が設置される家（部屋）の賃借人等は、メッセージ２４４に従って、給湯器５０の運転状態に注意を払うことができる。また、ユーザ等は、長期間使用されていない給湯器５０を再稼働させる前に、給湯器５０の点検やコンセントに溜まった埃の除去等を行い、給湯器５０の故障や動作不良を未然に防止することができる。
【００７５】
尚、ＣＰＵ３１は、不使用期間が所定期間を超えていないと判断した場合には（Ｓ２０７：ＮＯ）、第４使用期間表示画面２１０を作成する（Ｓ２０９）。例えば、使用期間が２年２ヶ月である場合には、ＣＰＵ３１は、図８に示すように、花びら１０１１が「８枚」ある花の画像１０１Ｂと、使用期間を表す文字列２１１と、次回の点検時期を通知するメッセージ２１２と、を表示する第４使用期間表示画面２１０を作成する。そして、ＣＰＵ３１は、第４使用期間表示画面２１０を表示パネル５４に表示させる指令を、リモコン１に送信することにより、画面表示を行い（Ｓ１０６）、処理を終了する。Ｓ２０９，Ｓ１０６の処理は、使用期間表示処理の一例である。
【００７６】
以上説明したように、本形態の給湯器５０によれば、表示パネル５４と、表示パネル５４の表示を制御するＣＰＵ３１と、を有する給湯器５０において、ＣＰＵ３１は、給湯器５０が最初に電源を投入されてから現時点までの使用期間を取得する使用期間取得処理（Ｓ１０１）と、使用期間取得処理にて取得した使用期間を、画像１０１（１０１Ｂ，１１０１Ｄ，１０１Ｅ，１０１Ｆ）と文字列２１１，２２１，２３１，２４１により表示パネル５４に表示させる使用期間表示処理（Ｓ２０２，Ｓ２０５，Ｓ２０８，Ｓ２０９，Ｓ１０６）と、を実行すること、を特徴とするので、誰でも簡単に給湯器５０の使用期間を把握することができる。
【００７７】
そして、給湯器５０は、使用期間を表す画像１０１と文字列２１１，２２１，２３１，２４１の他に、使用期間に関連する各種メッセージ２２２，２３２，２４３，２４４を表示パネル５４に表示させる。そのため、ユーザが、耐用期間や点検期間や不使用期間に適した対応をとり、給湯器５０は、故障や動作不良の発生が未然に防止される。
【００７８】
（第３実施形態）
続いて、本発明の第３実施形態に係るガス機器について説明する。図１３は、ガスファンヒータ６０の一例を示す外観斜視図である。ガスファンヒータ６０はガス機器の一例である。ガスファンヒータ６０は、表示部６２と、表示部６２の表示を制御する制御部６３とを備える。表示部６２と制御部６３は、ガスファンヒータ６０の本体６１に一体に設けられている。
【００７９】
表示部６２は、室温や設定温度を表示するものである。表示部６２は、第１及び第２実施形態のリモコン１，５３の表示パネル１３，５４より小さくて解像度が低く、表示パネル１３，５４より表示能力が低い。
【００８０】
制御部６３は、ガスファンヒータ６０に最初に電源が投入されてから現時点までの使用期間を計測する計時部（図示せず）を有する。そして、制御部６３は、第１実施形態のコントローラ２０と同様に構成されているので、詳細な説明を省略する。
【００８１】
本形態のガスファンヒータ６０は、制御部６３が、図示しない計時部から使用期間を取得する使用期間取得処理と、使用期間取得処理で取得した使用期間を、画像１０１にて表示する使用期間表示処理とを実行する。ガスファンヒータ６０は、ガスファンヒータ６０の使用期間、及び、使用期間が耐用期間を超えているか否かを、花の画像１０１に含まれる花びら１０１１の数により、表示部６２に表示させるので、誰でも、簡単に、ガスファンヒータ６０の使用期間と、使用期間が耐用期間を超えているか否かを把握することができる。尚、表示部６２の表示能力が高い場合には、第２実施形態のように、使用期間を文字列で表示部６２に表示させても良い。また、ガスファンヒータ６０がスピーカを有する場合、ガスファンヒータ６０の使用期間がガスファンヒータ６０の耐用期間又は作業期間（点検期間）を超える通知や、ガスファンヒータ６０の不使用期間が所定期間を超えること及びガスファンヒータ６０の使用に対する注意を知らせる通知を、スピーカからアラームや音声等で出力したり、ランプ等で表示したりするようにしても良い。
【００８２】
（第４実施形態）
続いて、本発明のガス機器用使用期間表示システムの一実施形態について説明する。図１４は、ガス機器用使用期間表示システム７０（以下「表示システム７０」と略記する）の概略構成図である。図１５は、タッチパネル８３への表示形態の一例を示す図である。タッチパネル８３は、表示部の一例である。
【００８３】
図１４に示すように、表示システム７０は、複数のガス機器７２〜７６が通信可能に接続され、各ガス機器を遠隔操作するリモコン７１を備える。リモコン７１と複数のガス機器７２〜７６との通信方式は、無線方式でも有線方式でも良い。リモコン７１は、情報表示装置の一例である。リモコン７１は、例えば、タブレット、スマートフォン、ＰＣなどであっても良い。複数のガス機器７２〜７６は、例えば、給湯器７２、床暖房装置７３、浴室暖房乾燥機７４、ガスファンヒータ７５、ガスコンロ７６などである。各ガス機器７２〜７６は、電源を初めて投入されてから現時点までの使用期間を、それぞれ計測している。また、各ガス機器７２〜７６は、耐用期間を各々記憶している。更に、各ガス機器７２〜７６は、第２実施形態の作業履歴データベース５１と使用履歴データベース５２と同様のデータベースを備える。
【００８４】
リモコン７１は、コントローラ８１に、通信部８２とタッチパネル８３が接続されている。通信部８２は、複数のガス機器７２〜７６との通信を制御するものである。タッチパネル８３は、情報を表示する表示機能と、情報を入力する入力機能とを有する。コントローラ８１は、周知のマイクロコンピュータであって、ＣＰＵ９１と、ＲＯＭ９２と、ＲＡＭ９３と、不揮発性メモリ９４とを有する。ＣＰＵ９１は、制御部の一例である。不揮発性メモリ９４は、複数のガス機器７２〜７６の使用期間をタッチパネル８３に表示させるためのアプリ９５を有する。
【００８５】
このような表示システム７０は、ＣＰＵ９１が、タッチパネル８３を介して、使用期間を確認する指示の入力を受け付けると、通信部８２を介して、各ガス機器７２〜７６に使用期間を問い合わせる。ＣＰＵ９１は、通信部８２を介して、各ガス機器７２〜７６から使用期間を受信すると、それらをＲＡＭ９３に記憶する。そして、ＣＰＵ９１は、ＲＡＭ９３に記憶した使用期間を一覧表示する画面を作成する。そして、作成した画面を表示する指示をタッチパネル８３に送信する。
【００８６】
また、ＣＰＵ９１は、通信部８２を用いて、各ガス機器７２〜７６に、耐用期間と点検期間と使用履歴を問い合わせる。ＣＰＵ９１は、通信部８２を用いて、各ガス機器７２〜７６の耐用期間と点検期間と使用履歴を受信すると、ＲＡＭ９３に記憶する。ＣＰＵ９１は、ＲＡＭ９３に記憶したデータに基づいて、各ガス機器７２〜７６毎に、使用期間が耐用期間を超えているか否かの判断、使用期間が点検期間を超えているか否かの判断、不使用期間の算出を行う。そして、それらの結果を、使用期間を表示する一覧に表示させるように、画面を作成する。
【００８７】
これにより、例えば図１５に示すように、タッチパネル８３には、使用期間表示画面３１０が表示される。使用期間表示画面３１０には、ガス機器の種別１０２ａと、ガス機器の使用期間１０２ｂと、耐用期間の超過１０２ｃと、点検期間の超過１０２ｄと、不使用期間１０２ｅを含む使用期間一覧１０２が表示される。耐用期間の超過１０２ｃには、使用期間が耐用期間を超える場合には「肯」、使用期間が耐用期間を超えない場合には「否」が表示される。点検期間の超過１０２ｄには、使用期間が点検期間を超える場合には「肯」、使用期間が点検期間を超えない場合には「否」が表示される。不使用期間１０２ｅには、算出された不使用期間が表示される。
【００８８】
尚、各欄をメッセージにリンクさせ、特定の欄をタッチすると、対応するメッセージが表示されるようにしても良い。例えば、耐用期間の超過１０２ｃに「肯」が記憶された欄Ｙ１がタッチされた場合、リモコン７１は、ガス機器の買い替えをすすめるメッセージを、使用期間表示画面３１０に合成し、タッチパネル８３に表示させても良い。また、例えば、点検期間の超過１０２ｄに「肯」が記憶された欄Ｙ２がタッチされた場合、リモコン７１は、点検を受けることをすすめるメッセージを、使用期間表示画面３１０に合成し、タッチパネル８３に表示させても良い。更に例えば、リモコン７１は、不使用期間が所定期間を超える欄Ｙ３を赤色等で強調表示し、強調表示した欄Ｙ３がタッチされた場合に、当該ガス機器の使用に対する注意を通知するメッセージを、使用期間表示画面３１０に合成し、タッチパネル８３に表示させても良い。
【００８９】
従って、本形態の表示システム７０によれば、複数のガス機器７２〜７６と、リモコン７１とを有し、リモコン７１が、複数のガス機器７２〜７６との通信を制御する通信部８２と、複数のガス機器７２〜７６に関する情報を表示するタッチパネル８３と、を有しており、リモコン７１に、通信部８２を介して、複数のガス機器７２〜７６のうちの少なくとも１つから使用期間を取得する使用期間取得処理と、使用期間取得処理にて取得した使用期間を、文字列によりタッチパネル８３に表示させる使用期間表示処理と、を実行させること、を特徴とするので、ガス機器７２〜７６の使用期間をタッチパネル８３に表示させることによって、誰でも簡単に各ガス機器７２〜７６の使用期間を把握できる。
【００９０】
特に、表示システム７０は、複数のガス機器７２〜７６の使用期間を、１個のリモコン７１に集約して表示させることができるので、部屋に設置するリモコンの数を減らして部屋の美観を向上させつつ、使用期間の表示を行うことができる。
【００９１】
また、例えば、ガスファンヒータ７５やガスコンロ７６のように、表示部の表示能力が小さい或いは表示部がないガス機器でも、リモコン７１との通信が可能であれば、リモコン７１に当該ガス機器の使用期間と使用期間に関連する通知を表示させることができる。
【００９２】
尚、本発明は、上記実施形態に限定されることなく、色々な応用が可能である。
【００９３】
例えば、画像１０１は、表示部の表示能力に合わせて表示すれば良く、画像構成や大きさや表示位置などは、上記形態に限定されない。例えば、花の画像１０１は、花に茎と葉を付けた画像でも良い。例えば、花の画像１０１は、上記形態より小さくても良い。また例えば、使用期間の経過を、例えば、動物の赤ちゃんの画像、子供の画像、大人の画像、老いた画像、死を表す画像へと変化させて表現しても良い。
【００９４】
例えば、使用期間は、表示部が表示を行う際に常に表示するようにしても良いし、特定の画面を表示させる指示を受け付けた場合のみ、表示するようにしても良い。
【００９５】
例えば、第１実施形態では、画像１０１のみで使用期間を表示し、第２実施形態では、画像１０１と文字列２２１，２３１，２４１とで使用期間を表示した。これに対して、文字列２２１，２３１，２４１のみで使用期間を表示するようにしても良い。
【００９６】
例えば、図１２に示すＳ２０１〜Ｓ２０２の第１判断処理及び第１通知処理と、Ｓ２０３〜Ｓ２０５の第２判断処理及び第２通知処理と、Ｓ２０６〜Ｓ２０８の第３判断処理と第３通知処理と第４通知処理との何れかを省略し、ＣＰＵ３１にかかる負荷を軽減しても良い。つまり、例えば、使用期間取得処理と、使用期間表示処理と、第１判断処理と、第１通知処理のみを行っても良い。また例えば、使用期間取得処理と、使用期間表示処理と、第２判断処理と、第２通知処理のみを行っても良い。更に例えば、使用期間取得処理と、使用期間表示処理と、第３判断処理と、第３通知処理のみを行っても良い。
【００９７】
例えば、図１２に示すＳ２０１〜Ｓ２０２の処理と、Ｓ２０３〜Ｓ２０５の処理と、Ｓ２０６〜Ｓ２０８の処理との順番は、これに限らない。
【００９８】
例えば、上記第２実施形態では、図９〜図１１に示すように、使用期間が耐用期間を超えていることを通知するメッセージ２２２と、点検期間の超過を示すメッセージ２３２と、不使用期間とガス機器の使用に対する注意を通知するメッセージ２４３，２４４を、別別の画面に表示させたが、メッセージ２２２，２３２，２４３，２４４を組み合わせて表示しても良い。例えば、所定期間を超える不使用期間中に定期点検等の作業を行っていない場合には、メッセージ２３２，２４３，２４４を、１つの画面に表示させても良い。
【００９９】
例えば、メッセージ２２２，２３２，２４３，２４４の通知は、スピーカ等からブザー音や音声で出力するようにしても良い。メッセージ２２２，２３２，２４３，２４４の通知は、表示と音声出力の両方で行っても良いし、何れか一方のみで行っても良い。
【０１００】
例えば、上記第４実施形態では、ガス機器７２〜７６に、使用期間の計測や、耐用期間・作業期間・使用履歴の記憶を行わせたが、これらをリモコン７１側で行うようにしても良い。
【０１０１】
上記形態では、給湯器本体２やガスファンヒータ６０やリモコン７１にアプリ４１，５５やデータベースなどを設けたが、これらを、クラウドサーバなどの給湯器本体２やガスファンヒータ６０やリモコン７１と別の記憶装置に設け、給湯器本体２やガスファンヒータ６０やリモコン７１の容量負荷を軽減させても良い。
【符号の説明】
【０１０２】
１０，５０  給湯器
３１        ＣＰＵ
１３，５４  表示パネル
６０        ガスファンヒータ
７０        ガス機器用使用期間表示システム
７１        リモコン
７２〜７６  複数のガス機器
８３        タッチパネル
９１        ＣＰＵ
【図１】
2019207082.tif 000003
【図２】
2019207082.tif 000004
【図３】
2019207082.tif 000005
【図４】
2019207082.tif 000006
【図５】
2019207082.tif 000007
【図６】
2019207082.tif 000008
【図７】
2019207082.tif 000009
【図８】
2019207082.tif 000010
【図９】
2019207082.tif 000011
【図１０】
2019207082.tif 000012
【図１１】
2019207082.tif 000013
【図１２】
2019207082.tif 000014
【図１３】
2019207082.tif 000015
【図１４】
2019207082.tif 000016
【図１５】
2019207082.tif 000017